(57)【特許請求の範囲】
【請求項１】
漫画データを編集する方法において、
制御部によって、動きが存在するカットであるモーションカットと静止映像であるスチルカットとを含む漫画データの前記モーションカットから、前記モーションカットの動きの最中に示される場面のうち１以上を含むスチルカットを生成する段階を含む漫画データ編集方法。
【請求項２】
前記生成する段階は、前記制御部によって、前記モーションカットの動きの最中に示される場面のうち１以上の場面及び補助映像を含む前記スチルカットを生成することを特徴とする請求項１に記載の漫画データ編集方法。
【請求項３】
前記補助映像は、前記モーションカットの動きの最中に示される場面のうち一つに映像処理効果を適用した映像、直線または曲線からなる補助線、前記制御部によって自動的に生成される視覚的記号、及びユーザから受信した視覚的記号のうち１以上を含むことを特徴とする請求項２に記載の漫画データ編集方法。
【請求項４】
前記生成する段階の後、前記制御部によって、前記生成されたスチルカットを含む編集漫画データを視聴するユーザのデバイスに、前記編集漫画データが表示される形態の例示を表示する段階をさらに含むことを特徴とする請求項１ないし３のうちいずれか１項に記載の漫画データ編集方法。
【請求項５】
前記生成する段階の後、前記制御部によって、前記生成されたスチルカットを含む編集漫画データを生成する段階をさらに含むことを特徴とする請求項１ないし４のうちいずれか１項に記載の漫画データ編集方法。
【請求項６】
コンピュータを利用して、請求項１ないし５のうちいずれか１項に記載の方法を実行させるために記録媒体に保存されたコンピュータプログラム。
【請求項７】
請求項１ないし５のうちいずれか１項に記載の方法をコンピュータで実行させるためのプログラムを配布する配布サーバ。
【請求項８】
動きが存在するカットであるモーションカットと静止映像であるスチルカットとを含む漫画データの前記モーションカットから、前記モーションカットの動きの最中に示される場面のうち１以上を含むスチルカットを生成する制御部を含む漫画データ編集装置。
【請求項９】
前記制御部は、前記モーションカットの動きの最中に示される場面のうち１以上の場面及び補助映像を含む前記スチルカットを生成することを特徴とする請求項８に記載の漫画データ編集装置。
【請求項１０】
前記制御部は、前記生成されたスチルカットを含む編集漫画データを視聴するユーザのデバイスに、前記編集漫画データが表示される形態の例示を表示させることを特徴とする請求項８または９に記載の漫画データ編集装置。
【請求項１１】
前記制御部は、前記生成されたスチルカットを含む編集漫画データを生成することを特徴とする請求項８ないし１０のうちいずれか１項に記載の漫画データ編集装置。
【発明の詳細な説明】
【技術分野】
【０００１】
本発明は、漫画データ編集方法及び漫画データ編集装置に関する。特に、ウェブトゥーン関連の技術分野に効果的に適用可能な漫画データ編集方法及び漫画データ編集装置に関する。
【背景技術】
【０００２】
漫画は、滑稽、諧謔、風刺などを介して、対象の性格を誇張したり省略し、また人生や社会を風刺、批判したりして読者の興味を沸き起こさせる絵であって、その内容によって、純情、武侠、アクション、コミック、スポーツ、ＳＦ（science fiction）などの多様なジャンルに区分される。漫画は、映像及びテキストという視覚的体系を使用して、複雑な内容を可視的に描くことにより、単に文章だけからなる一般書籍に比べ、読者の関心をひきつけるのにさらに効果的である。
【０００３】
一方、最近では、伝統的な漫画本から脱し、インターネットなどの通信手段を介して漫画データを送受信し、電子装置を使用して漫画を読書することができる漫画サービスが提供されている。かように電子装置を使用して漫画サービスが提供されることにより、伝統的な漫画本では具現することができなかった機能（例えば、漫画と共に音声を提供する機能、または漫画に動きを含める機能）を含む漫画が登場するようになった。
【０００４】
前述の背景技術は、発明者が本発明の導出のために保有していたり、本発明の導出過程で習得したりした技術情報であり、必ずしも本発明の出願の前に一般公衆に公開された公知技術とすることはできない。なお、関連先行文献として、特許文献１がある。
【先行技術文献】
【特許文献】
【０００５】
【特許文献１】韓国公開特許第２００３−００８３２４９号公報
【発明の概要】
【発明が解決しようとする課題】
【０００６】
本発明の実施形態は、動きを含む漫画を編集し、静止映像のみを含む漫画を生成する漫画データ編集方法及び漫画データ編集装置を提供するものである。
【０００７】
本発明の実施形態は、動きが存在するモーションカットを含む漫画データを編集し、静止映像によって構成された静止カットのみを含む漫画データを生成する漫画データ編集方法及び漫画データ編集装置を提供するものである。
【課題を解決するための手段】
【０００８】
本発明の一実施形態は、漫画データを編集する方法において、制御部によって、前記漫画データに含まれるカットのうち少なくとも一つを表示部に表示する段階、入力受信部によって、前記カットのうち動きが存在するモーションカットから、静止映像であるスチルカットを生成すべき旨の命令を受信する段階、及び前記制御部によって、前記モーションカットの動きの最中に示される場面中の１以上を含み、前記スチルカットを生成する段階を含む漫画データ編集方法を開示する。
【０００９】
本発明の他の実施形態は、漫画データに含まれるカットのうち動きが存在するモーションカットから、静止映像であるスチルカットを生成すべき旨の命令を受信する入力受信部、及び前記漫画データを編集する過程が表示部に表示されるように、前記表示部を制御し、前記モーションカットの動きの最中に示される場面中の１以上を含み、前記スチルカットを生成する制御部を含む漫画データ編集装置を開示する。
【発明の効果】
【００１０】
本発明によれば、動きを含む漫画を編集し、静止映像のみを含む漫画を生成する漫画データ編集方法及び漫画データ編集装置を提供することができる。
【００１１】
また、動きが存在するモーションカットを含む漫画データを編集し、静止映像によって構成された静止カットのみを含む漫画データを生成する漫画データ編集方法及び漫画データ編集装置を提供することができる。
【図面の簡単な説明】
【００１２】
【図１】本発明の一実施形態による漫画データ提供システムの構成を概略的に図示した図面である。
【図２】本発明の一実施形態による漫画データ提供システムの内部構成を概略的に図示したブロック図である。
【図３】本発明の一実施形態による漫画データ編集方法を概略的に図示したフローチャートである。
【図４】モーションカットの例示的な形態を概略的に図示した図面である。
【図５】本発明の一実施形態による漫画データ編集装置において、漫画データを編集する例示的な形態を概略的に図示した図面である。
【図６】本発明の一実施形態による漫画データ編集装置で生成されたスチルカットの例示的な形態を概略的に図示した図面である。
【発明を実施するための形態】
【００１３】
本発明は、多様な変換を加えることができ、さまざまな実施形態を有するが、特定実施形態を図面に例示し、詳細な説明に詳細に説明する。本発明の効果、特徴、及びそれらを達成する方法は、図面と共に詳細に説明する実施形態を参照すれば、明確になるであろう。しかし、本発明は、以下で開示される実施形態に限定されるものではなく、多様な形態によって具現される。
【００１４】
以下の実施形態において、第１、第２のような用語は、限定的な意味ではなく、１つの構成要素を他の構成要素と区別する目的で使用される。また、単数の表現は、文脈上明白に異なった意味で用いない限り、複数の表現を含む。また、「含む」または「有する」というような用語は、明細書上に記載された特徴または構成要素が存在するということを意味するものであり、１以上の他の特徴または構成要素が付加される可能性をあらかじめ排除するものではない。
【００１５】
また、図面においては、説明の便宜のために、構成要素の大きさが誇張されていたり縮小されていたりする。例えば、図面で示された各構成の大きさ及び厚みは、説明の便宜のために任意に示したものであり、本発明は、必ずしも図示されているところに限定されるものではない。
【００１６】
以下、添付された図面を参照し、本発明の実施形態について詳細に説明するが、図面を参照して説明するとき、同一であるか対応する構成要素は、同一の図面符号を付し、それらに係わる重複説明は省略する。
【００１７】
図１は、本発明の一実施形態による漫画データ提供システムの構成を概略的に図示した図面である。
【００１８】
図１を参照すれば、本発明の一実施形態による漫画データ提供システム１０は、漫画データ編集装置１００を含む。また、漫画データ提供システム１０は、漫画データ表示装置２００を含む。また、漫画データ提供システム１０は、漫画データ保存装置３００を含む。また、漫画データ提供システム１０は、漫画データ編集装置１００、漫画データ表示装置２００及び漫画データ保存装置３００を相互連結する通信網４００を含む。
【００１９】
本明細書において、漫画データは、文字（例えばアルファベット）、絵または写真などから構成され、視覚的に認知され、相手に視覚的情報を伝達することができる客体、または当該客体の集合からなる映像データを意味する。漫画データは、漫画家によって制作されたデータでもある。漫画データは、１以上のカットを含んでもよい。ここで、カットは、複数の視覚的客体それぞれ、または一定単位に区分される複数の視覚的客体の集合でもあり、文字、絵または写真から構成される複数のレイヤを含んでもよい。すなわち、レイヤは、文字、絵、写真、またはそれらの組み合わせでもあり、カットは、一定領域内に位置する１以上のレイヤの組み合わせでもあり、漫画データは、１回に提供される複数のカットの組み合わせでもある。
【００２０】
カットの種類には、モーションカット及びスチルカットが存在する。モーションカットは、モーションカットに含まれるレイヤ中の１以上のレイヤに動きが存在するカットである。その場合、動きは、経時的な視覚的記号形態の変化でもよい。また、動きは、絵または写真の経時的な変化であっても、文字の経時的な変化であってもよい。スチルカットは、経時的にその形態が変化しないレイヤのみによって構成されたカットである。モーションカットの例示的な形態については、図４を用いて説明する。
【００２１】
漫画データ編集装置１００は、漫画データを編集するときに使用する装置である。漫画データ編集装置１００は、１以上のモーションカットを含む漫画データを編集し、スチルカットのみからなる漫画データを生成するのに使用する装置を含む。通信網４００に連結されている漫画データ編集装置１００は、複数であってもよい。漫画データ編集装置１００は、有無線通信環境において、他の装置とデータを送受信することができる通信端末機を意味する。漫画データ編集装置１００は、内部メモリまたは外部メモリに存在する漫画データを編集し、編集した漫画データをさらに内部メモリまたは外部メモリに保存する多様な装置を意味する。
【００２２】
図１においては、例えば、漫画データ編集装置１００がノート型パソコン形態として図示されているが、本発明は、それに限定されるものではない。具体的には、漫画データ編集装置１００は、スマートフォン、ＰＣ（personal computer）、タブレットＰＣ、スマートＴＶ（television）、携帯電話、ＰＤＡ（personal digital assistant）、ラップトップＰＣ、メディアプレーヤ、マイクロサーバ、ＧＰＳ（global positioning system）装置、電子書籍端末機、デジタル放送用端末機、ナビゲーション、キオスク、ＭＰ３プレーヤ、デジタルカメラ、ウェアラブル装置、及びその他のモバイルコンピュータ装置または非モバイルコンピュータ装置であってもよいが、本発明は、それらに限定されるものではない。
【００２３】
また、漫画データ編集装置１００は、電子黒板、タッチテーブルのように、タッチ入力を受信することができる多様な装置を含んでもよい。また、漫画データ編集装置１００は、通信機能またはデータプロセッシング機能を具備した時計、めがね、ヘアバンド及び指輪などのアクセサリであってもよいが、本発明は、それらに限定されるものではない。
【００２４】
漫画データ編集装置１００は、漫画データの編集を可能にしたり、漫画データの編集を容易にしたりする漫画編集ツールがインストールされた装置であってもよい。漫画データ編集装置１００は、有線又は無線通信環境において、他の装置とデータを送受信することができる装置を意味する。漫画データ編集装置１００は、漫画データを漫画データ保存装置３００に提供する装置でもある。
【００２５】
漫画データ編集装置１００は、漫画家が漫画データを漫画データ表示装置２００または漫画データ保存装置３００に提供するときに使用する装置、すなわち、漫画データ提供装置を含んでもよい。または、漫画データ編集装置１００が漫画データ提供装置に含まれる構成の一部であってもよい。漫画データ編集装置１００は、漫画家が漫画データを直接制作するのに使用する装置、すなわち、漫画データ制作装置を含んでもよい。または、漫画データ編集装置１００が漫画データ制作装置に含まれる構成の一部であってもよい。その場合、漫画編集ツールは、漫画制作ツールに含まれる機能であってもよい。
【００２６】
漫画データ表示装置２００は、漫画データを表示することができる装置である。通信網４００に連結されている漫画データ表示装置２００は、複数であってもよい。漫画データ表示装置２００は、有線又は無線通信環境で、他の装置とデータを送受信することができる通信端末機を意味する。漫画データ表示装置２００は、内部メモリまたは外部メモリに存在する漫画データを、漫画データ表示装置２００の表示部に表示することができる多様な装置を意味する。図１においては、漫画データ表示装置２００が、スマートフォン形態の第１漫画データ表示装置２００ａ、及びデスクトップ形態の第２漫画データ表示装置２００ｂと図示されているが、本発明は、それらに限定されるものではない。具体的には、漫画データ表示装置２００は、スマートフォン、ＰＣ、タブレットＰＣ、スマートＴＶ、携帯電話、ＰＤＡ、ラップトップ、メディアプレーヤ、マイクロサーバ、ＧＰＳ装置、電子書籍端末機、デジタル放送用端末機、ナビゲーション、キオスク、ＭＰ３プレーヤ、デジタルカメラ、ウェアラブル装置、及びその他のモバイルコンピュータ装置または非モバイルコンピュータ装置であってもよいが、本発明は、それらに限定されるものではない。また、漫画データ表示装置２００は、電子黒板、タッチテーブルのように、タッチ入力を受信することができる多様な装置を含んでもよい。また、漫画データ表示装置２００は、通信機能またはデータプロセッシング機能を具備した時計、めがね、ヘアバンド及び指輪などのアクセサリであってもよいが、本発明は、それらに限定されるものではない。
【００２７】
漫画データ表示装置２００は、表示部をさらに含んでもよい。表示部は、漫画データを表示し、漫画データに対するユーザの入力に対応し、漫画データを移動させることができる。具体的には、漫画データは、漫画データ全体が表示部で１回に表示され難いほど大きいサイズの映像データである。従って、表示部は、一度に漫画データの一部領域のみを表示することができる。また、表示部は、漫画データをスクロールし、漫画データの他の一部領域を表示することができる。漫画データをスクロールする動作は、漫画データの第１一部領域を、漫画データ表示装置２００の表示部に表示する状態で、第１一部領域と異なる第２一部領域を、漫画データ表示装置２００の表示部に表示する状態に変更する動作を意味する。漫画データをスクロールする最中、第１一部領域または第２一部領域に含まれるカット、または第１一部領域及び第２一部領域の間に配置されるカットが、一定時間以上漫画データ表示装置２００の表示部に表示される。
【００２８】
漫画データ表示装置２００の表示部は、液晶ディスプレイ（liquid crystal display）、薄膜トランジスタ液晶ディスプレイ（thin film transistor-liquid crystal display）、有機発光ダイオード（organic light-emitting diode）、フレキシブルディスプレイ（flexible display）、三次元ディスプレイ（３Ｄ（three-dimensional） display）、電気泳動ディスプレイ（electrophoretic display）のうち少なくとも一つを含んでもよいが、本発明は、それらに限定されるものではない。漫画データ表示装置２００の具現形態によって、漫画データ表示装置２００は、表示部を２個以上含んでもよい。
【００２９】
漫画データ保存装置３００は、漫画データ編集装置１００から提供された漫画データを保存するための装置である。漫画データ保存装置３００は、漫画データを保存しているサーバであってもよい。漫画データ保存装置３００は、漫画データ制作装置から漫画データを供給されて保存し、漫画データ表示装置２００に提供する漫画データを保存することができる。漫画データ保存装置３００は、保存された漫画データを、漫画データ表示装置２００に供給することができる。また、漫画データ保存装置３００は、漫画データ編集装置１００の漫画データ供給要請に対応し、漫画データを供給することができる。図１には、漫画データ保存装置３００を、１つの物理的装置として表示したが、接続量あるいはデータ量によって、複数個の漫画データ保存装置３００が存在してもよい。
【００３０】
漫画データ保存装置３００は、漫画データを、種類によって区分して保存することができる。例えば、漫画データ保存装置３００は、同一シリーズの同一話数の漫画について、モーションカットが含まれた漫画データ及びスチルカットだけからなる漫画データの２種類の漫画データを区分して保存することができる。
【００３１】
漫画データ保存装置３００は、漫画データの送信を要請した漫画データ表示装置２００の種類によって、互いに異なる漫画データを提供することができる。例えば、漫画データ表示装置２００が、漫画データの動きを表現することができる装置である場合、漫画データ保存装置３００は、モーションカットが含まれた漫画データを、漫画データ表示装置２００に送信することができる。他の例示として、漫画データ表示装置２００が、漫画データの動きを表現することができない装置である場合、漫画データ保存装置３００は、スチルカットだけからなる漫画データを、漫画データ表示装置２００に送信することができる。
【００３２】
また、漫画データ保存装置３００は、漫画データの提供を要請するユーザと係わる情報によって、互いに異なる漫画データを提供することができる。例えば、漫画データ保存装置３００は、動きが含まれた漫画データの提供を要請するユーザには、動きが含まれた漫画データを提供し、静止映像だけからなる漫画データの提供を要請するユーザには、スチルカットだけからなる漫画データを提供することができる。そのために、漫画データ保存装置３００は、漫画データ表示装置２００のユーザと係わる情報を、漫画データ表示装置２００から送信されるか、あるいは自ら生成することができる。
【００３３】
また、漫画データ保存装置３００は、漫画データ表示装置２００のユーザと係わる情報を保存することができる。その場合、漫画データ保存装置３００は、互いに異なる漫画データ表示装置２００を区分し、それぞれのユーザと係わる情報を保存することもでき、互いに異なるアカウントを区分し、それぞれのユーザと係わる情報を保存することもできる。例えば、漫画データ保存装置３００は、第１漫画データ表示装置２００ａと係わる第１漫画読書情報を保存し、第２漫画データ表示装置２００ｂと係わる第２漫画読書情報を保存することができる。他の例示として、漫画データ保存装置３００は、第１アカウントと係わる第３漫画読書情報を保存し、第２アカウントと係わる第４漫画読書情報を保存することができる。すなわち、漫画データ保存装置３００は、漫画データが表示される装置が異なるか否かということを基準に、ユーザと係わる情報を区分することもでき、漫画データの表示を要請したアカウントが異なるか否かということを基準に、ユーザと係わる情報を区分することもできる。
【００３４】
漫画データ保存装置３００は、漫画データと係わるサービス以外にも、一般的な検索サービス、及びその他ユーザの便宜を向上させる多様なサービスを提供することもできる。すなわち、漫画データ保存装置３００は、漫画データと係わるサービスに加え、検索、電子メール、ブログ、ソーシャルネットワークサービス（social network service）、ニュース、ショッピング情報提供のような多様なサービスを提供することができる。または、漫画データ保存装置３００は、検索、電子メール、ニュース、ショッピングのようなポータル（portal）サービスを提供するサーバに連結され、ポータルサービスからの情報提供を要請する漫画データ表示装置２００に、ポータルサービスが提供するウェブページを提供するサーバでもある。ここで、漫画データ保存装置３００とポータルサービス提供サーバは、物理的に分離された別途の装置であってもよく、概念的だけで分離された同一装置であってもよい。
【００３５】
漫画データ編集装置１００、漫画データ保存装置３００及び漫画データ制作装置のうち１以上は、同一装置であってもよい。例えば、漫画家が１つの装置を介して漫画データを制作、当該漫画データの編集まで進める場合、漫画データ編集装置１００及び漫画データ制作装置は、同一の１装置である。他の例示として、漫画家から提供された漫画データを保存していて、編集者が、当該漫画データを呼び出して漫画データの編集を進める場合、漫画データ編集装置１００及び漫画データ保存装置３００は、同一の１装置である。さらに他の例示として、漫画家が、漫画データの制作、制作された漫画データの保存、保存された漫画データの編集、及び漫画データを提供する役割までいずれも直接行う場合、漫画データ編集装置１００、漫画データ保存装置３００及び漫画データ制作装置は、同一の１装置である。
【００３６】
通信網４００は、漫画データ編集装置１００、漫画データ表示装置２００及び／または漫画データ保存装置３００を連結する役割を行うことができる。すなわち、通信網４００は、漫画データ編集装置１００、漫画データ表示装置２００及び／または漫画データ保存装置３００の間に、漫画データ、または漫画データを含むデータを送受信することができるように、接続経路を提供する通信網を意味する。通信網４００は、例えばＬＡＮｓ（local area networks）、ＷＡＮｓ（wide area networks）、ＭＡＮｓ（metropolitan area networks）、ＩＳＤＮｓ（integrated service digital networks）などの有線ネットワークや、無線ＬＡＮｓ、ＣＤＭＡ（code division multiple access）、ブルートゥース（Bluetooth）（登録商標）、衛星通信などの無線ネットワークを網羅することができるが、本発明は、それらに限定されるものではない。
【００３７】
図２は、本発明の一実施形態による漫画データ提供システム１０の内部構成を概略的に図示したブロック図である。
【００３８】
図２を参照すれば、本発明の一実施形態による漫画データ提供システム１０の漫画データ編集装置１００は、入力受信部１１０及び制御部１２０を含んでもよい。また、漫画データ編集装置１００は、通信部１２１、メモリ１２２、プログラム保存部１２３をさらに含んでもよい。
【００３９】
入力受信部１１０は、ユーザが漫画データ編集装置１００を制御するための命令を受信する手段を意味する。例えば、入力受信部１１０には、キーボード、キーパッド（key pad）、ドームスイッチ（dome switch）、タッチパッド（接触式静電容量方式、圧力式抵抗膜方式、赤外線感知方式、表面超音波伝導方式、積分式張力測定方式、ピエゾ効果方式など）、ジョグホイール、ジョグスイッチ、マウスなどの装置を含んでもよく、ユーザのマウスを介したクリック入力、ユーザのキーボードを介した入力、またはユーザの音声入力を行う装置、そのような入力を受信する装置、またはそのような入力を検出する装置であってもよいが、それに限定されるものではない。
【００４０】
入力受信部１１０は、漫画データ編集装置１００の内部または外部に存在する入力装置を介して、ユーザから入力される命令を分析し、当該命令による信号を生成する手段を意味する。すなわち、キーボード、キーパッド、ドームスイッチ、多種のタッチパッド、ジョグホイール、ジョグスイッチ、マウスなどを介して、ユーザが特定の入力を行った場合、入力受信部１１０は、当該入力によって発生した電気的または機械的な信号を捕捉し、捕捉した信号が既定の動作に対応するか否かということを判断することができる。
【００４１】
ユーザから入力された信号が、既定の動作に対応すると判断される場合、入力受信部１１０は、既定の動作が意味する命令が受信されたと判断することができる。例えば、ユーザが、漫画データ編集装置１００において特定のモーションカットを選択した後、特定のユーザ・インターフェースをクリックする動作を遂行する場合を想定し、当該ユーザ・インターフェースをクリックする動作が、当該モーションカットからスチルカットを生成すべき旨の命令である場合を想定することができる。その場合、入力受信部１１０は、当該モーションカットからスチルカットを生成するための信号を生成し、生成した信号を、制御部１２０に伝達することができる。そのような方法で、入力受信部１１０は、漫画データに含まれるカットのうち動きが存在するモーションカットから、静止映像であるスチルカットを生成すべき旨の命令を受信することができる。
【００４２】
制御部１２０は、一般的に、漫画データ編集装置１００の全般的な動作を制御することができる。例えば、制御部１２０は、プログラム保存部１２３に保存されたプログラムを実行することにより、入力受信部１１０及びその他漫画データ編集装置１００に含まれる構成部分を全般的に制御することができる。
【００４３】
制御部１２０は、プロセッサ（processor）のように、データを処理することができる全種の装置を含んでもよい。ここで、「プロセッサ」は、例えば、プログラム内に含まれたコードまたは命令によって表現された機能を遂行するために、物理的に構造化された回路を有する、ハードウェアに内蔵されたデータ処理装置を意味する。そのように、ハードウェアに内蔵されたデータ処理装置の一例として、マイクロプロセッサ（microprocessor）、中央処理装置（ＣＰＵ：central processing unit）、プロセッサコア（processor core）、マルチプロセッサ（multiprocessor）、ＡＳＩＣ（application specific integrated circuit）、ＦＰＧＡ（field programmable gate array）のような処理装置を網羅することができるが、本発明は、それらに限定されるものではない。
【００４４】
制御部１２０は、漫画データを編集する過程が表示部に表示されるように表示部を制御することができる。ここで、表示部は、漫画データ編集装置１００で処理される情報を表示する役割を行う。表示部は、漫画データに含まれるカットのうち少なくとも一つを表示することができる。表示部は、漫画データ編集装置１００に含まれる構成要素であってもよいが、漫画データ編集装置１００の外部に存在することもできる。
【００４５】
漫画データ編集装置１００が表示部を含む場合、制御部１２０は、表示部を全般的に制御し、漫画データを編集する過程、及び漫画データを編集するために使用されるユーザ・インターフェースを表示部に表示することができる。表示部が、漫画データ編集装置１００の外部に存在する場合、制御部１２０は、漫画データを編集する過程、及び漫画データを編集するために使用されるユーザ・インターフェースが表示部に表示されるように、表示部を制御する制御信号を、表示部に送信することができる。
【００４６】
以下では、表示部が、漫画データ編集装置１００の内部または外部に存在する全ての場合について、制御部１２０が、表示部に特定の映像が表示されるように、表示部を制御するという表現を使用する。表示部は、液晶ディスプレイ、薄膜トランジスタ液晶ディスプレイ、有機発光ダイオード、フレキシブルディスプレイ、三次元ディスプレイ、電気泳動ディスプレイのうち少なくとも一つを含んでもよいが、本発明は、それらに限定されるものではない。
【００４７】
制御部１２０は、モーションカットの動きの最中に示される場面のうち１以上を含み、スチルカットを生成することができる。制御部１２０が漫画データを編集するために遂行する多様な動作の例示は、図５を用いて説明する。
【００４８】
通信部１２１は、漫画データ表示装置２００または漫画データ保存装置３００のうち少なくとも一つと、有線又は無線通信を行うことができる。通信部１２１は、ブルートゥース（Bluetooth）通信部、ＢＬＥ（Bluetooth low energy）通信部、近距離無線通信部（near field communication unit）、ＷＬＡＮ（Ｗｉ−Ｆｉ（wireless fidelity））通信部、ジグビー（ZigBee）（登録商標）通信部、赤外線（ＩｒＤＡ：infrared data association）通信部、ＷＦＤ（Ｗｉ−Ｆｉ direct）通信部、ＵＷＢ（ultra wideband）通信部、Ａｎｔ＋通信部などを用いることができるが、それらに限定されるものではない。
【００４９】
通信部１２１は、通信網４００上で、漫画データ表示装置２００、漫画データ保存装置３００または基地局のうち少なくとも一つと有線又は無線信号を送受信することができる。有線又は無線信号は、漫画データ自体、または漫画データを含む多様な形態のデータを含んでもよい。例えば、通信部１２１は、漫画データ表示装置２００または漫画データ保存装置３００に、モーションカットを１以上含む漫画データ、またはスチルカットだけからなる漫画データを送信することができる。
【００５０】
通信部１２１は、漫画データ表示装置２００、漫画データ保存装置３００、漫画データ制作装置または基地局のうち少なくとも一つと、有線又は無線連結を介して、漫画データ自体、または漫画データを含む多様な形態のデータを送受信するために必要なハードウェア及びソフトウェアを含む装置であってもよい。通信部１２１は、入力受信部１１０を含み、入力受信部１１０が通信部１２１を含んでもよい。
【００５１】
メモリ１２２は、制御部１２０が処理するデータを、一時的または永久的に保存する機能を遂行することができる。ここで、メモリ１２２は、磁気記録媒体（magnetic storage media）またはフラッシュ記録媒体（flash storage media）を含んでもよいが、本発明は、それらに限定されるものではない。
【００５２】
プログラム保存部１２３は、漫画データを編集するためのプログラムを実行させる作業、漫画データを編集するための、プログラムを維持、復旧またはアップデートする作業、漫画データ編集装置１００の多様な構成要素を動作させるのに必要な作業などを遂行する制御ソフトウェアを搭載することができる。
【００５３】
入力受信部１１０、制御部１２０、及び漫画データ編集装置１００に含まれるその他構成部分は、互いに物理的に区分される物理的装置であってもよく、１つの物理的装置内で、論理的に区分される単位であってもよい。また、入力受信部１１０、制御部１２０、及び漫画データ編集装置１００に含まれるその他構成部分のうち一部の構成部分は、他の一部の構成部分を含む形態によって具現されたハードウェアまたはソフトウェアであってもよい。また、入力受信部１１０、制御部１２０、及び漫画データ編集装置１００に含まれるその他構成部分は、漫画データ編集装置１００で実行されるコンピュータプログラム上で、アルゴリズム的に区分される論理的ブロックであってもよい。
【００５４】
さらに、図２を参照すれば、本発明の一実施形態による漫画データ保存装置３００は、通信部３１０、メモリ３２０、入出力部３３０、プログラム保存部３４０及び制御部３５０を含んでもよい。
【００５５】
通信部３１０は、通信網４００を介して、漫画データ編集装置１００、漫画データ表示装置２００、漫画データ制作装置または基地局のうち少なくとも一つと、有線又は無線連結を介して、漫画データ自体、または漫画データを含む多様な形態のデータを送受信するために必要なハードウェア及びソフトウェアを含む装置であってもよい。
【００５６】
メモリ３２０は、制御部３５０が処理するデータを、一時的または永久的に保存する機能を遂行することができる。ここで、メモリ３２０は、磁気記録媒体またはフラッシュ記録媒体を含んでもよいが、本発明は、それらに限定されるものではない。
【００５７】
入出力部３３０は、表示部及び入力部を含んでもよい。表示部は、漫画データを保存、管理、維持または送受信するために必要なインターフェースを表示するための装置である。表示部は、液晶ディスプレイ、薄膜トランジスタ液晶ディスプレイ、有機発光ダイオード、フレキシブルディスプレイ、三次元ディスプレイ、電気泳動ディスプレイのうち少なくとも一つを含んでもよいが、本発明は、それらに限定されるものではない。
【００５８】
入力部は、漫画データ保存装置３００の管理者が漫画データ保存装置３００を制御するための命令を入力する手段である。例えば、入力部は、キーボード、キーパッド、ドームスイッチ、タッチパッド（接触式静電容量方式、圧力式抵抗膜方式、赤外線感知方式、表面超音波伝導方式、積分式張力測定方式、ピエゾ効果方式など）、ジョグホイール、ジョグスイッチ、マウスなどの装置を含んでもよく、管理者のマウスを介したクリック入力、管理者のキーボードを介した入力、または管理者の音声入力を行う装置、そのような入力を受信する装置、またはそのような入力を検出する装置であってもよいが、それらに限定されるものではない。
【００５９】
プログラム保存部３４０は、漫画データ制作装置、漫画データ編集装置１００または漫画データ表示装置２００と漫画データを送受信する作業、漫画データを保存または復旧する作業、漫画データ保存装置３００の多様な構成要素を動作させるのに必要な作業などを遂行する制御ソフトウェアを搭載することができる。
【００６０】
制御部３５０は、一般的に、漫画データ保存装置３００の全般的な動作を制御することができる。例えば、制御部３５０は、プログラム保存部３４０に保存されたプログラムを実行することにより、通信部３１０、メモリ３２０、入出力部３３０、及びその他漫画データ保存装置３００に含まれるその他構成部分を全般的に制御することができる。
【００６１】
制御部３５０は、プロセッサのように、データを処理することができる全種の装置を含んでもよい。制御部３５０は、マイクロプロセッサ、中央処理装置、プロセッサコア、マルチプロセッサ、ＡＳＩＣ、ＦＰＧＡなどの処理装置を網羅することができるが、本発明は、それらに限定されるものではない。
【００６２】
図３は、本発明の一実施形態による漫画データ編集方法を概略的に図示したフローチャートである。
【００６３】
図３に図示されたフローチャートは、図２に図示された漫画データ編集装置１００において、時系列的に処理される段階によって構成される。従って、以下の説明で省略された内容であっても、図２で図示された構成について、既に説明した内容は、図３に図示されたフローチャートにも適用することができる。
【００６４】
図３を参照すれば、本発明の一実施形態による漫画データ編集方法は、制御部によって、漫画データに含まれるカットのうち少なくとも一つを表示部に表示する段階（Ｓ１００段階）、入力受信部によって、カットのうち動きが存在するモーションカットから、静止映像であるスチルカットを生成すべき旨の命令を受信する段階（Ｓ２００段階）、及び制御部によって、モーションカットの動きの最中に示される場面のうち１以上を含んでスチルカットを生成する段階（Ｓ３００段階）を含んでもよい。
【００６５】
表示する段階（Ｓ１００段階）においては、制御部１２０が、モーションカット、及び静止映像であるスチルカットを、互いに区分されるように表示部に表示することができる。例えば、表示する段階（Ｓ１００段階）においては、制御部１２０が、モーションカットとスチルカットとが表示部で互いに区分される位置に表示されるように、表示部を制御することができる。他の例示として、表示する段階（Ｓ１００段階）においては、制御部１２０が、モーションカットと隣接した領域に、モーションカットの動きの程度を調節するためのユーザ・インターフェースが表示されるように、表示部を制御することができる。そのとき、表示する段階（Ｓ１００段階）においては、制御部１２０が、モーションカットの動きの程度によって示されるスチルカットを表示部に表示することができる。
【００６６】
受信する段階（Ｓ２００段階）においては、入力受信部１１０が、モーションカットから、複数のスチルカットを生成すべき旨の命令を受信することができる。その場合、生成する段階（Ｓ３００段階）においては、制御部１２０が、モーションカットの動きの最中に示される場面のうち１以上の互いに異なる場面をそれぞれ含む複数のスチルカットを生成することができる。例えば、モーションカットの動きの最中に示される場面が複数個存在する場合、生成する段階（Ｓ３００段階）においては、制御部１２０が、当該複数個の場面のうち１以上の場面を含む第１スチルカット、及び当該複数個の場面のうち第１スチルカットに含まれる場面と同じであるか、あるいは他の１以上の場面を含む第２スチルカットを生成することができる。
【００６７】
また、受信する段階（Ｓ２００段階）においては、制御部１２０が、モーションカットの動きの程度によって示されるスチルカットのうち少なくとも一つを、スチルカットの候補群として、表示部に表示することができる。例えば、受信する段階（Ｓ２００段階）においては、制御部１２０が、モーションカットで動きが発生する前の最初の状態の静止映像、モーションカットで動きが終わった後の最終状態の静止映像、またはモーションカットにおいて、急激な動きが発生する直前または直後の映像などを、当該モーションカットを代表することができるスチルカットの候補群として選定し、選定された候補群を表示部に表示することができる。
【００６８】
生成する段階（Ｓ３００）においては、制御部１２０が、モーションカットの動きの最中に示される場面のうち１以上の場面及び補助映像を含むチルカットを生成することができる。例えば、生成する段階（Ｓ３００）においては、制御部１２０が、モーションカットの動きの最中に示される場面のうち１以上の場面に対し、当該場面に多種の映像処理効果のうち１以上を適用した映像、直線または曲線からなる１以上の補助線、または多種の視覚的記号を加えてスチルカットを生成することができる。すなわち、静止映像であるスチルカットだけでは、モーションカットの動きを直接に示すことができないために、生成する段階（Ｓ３００）においては、多種の補助映像を使用して、スチルカットに躍動性を付与する。
【００６９】
本発明の一実施形態による漫画データ編集方法は、生成する段階（Ｓ３００）の後、制御部１２０が、生成されたスチルカットを含む編集漫画データを生成することができる。このように生成された編集漫画データは、制御部１２０によって、漫画データ編集装置１００内部のメモリ１２２に保存される。また、編集漫画データは、漫画データ編集装置１００によって、通信網４００を介して、漫画データ表示装置２００または漫画データ保存装置３００などに送信される。また、本発明の一実施形態による漫画データ編集方法は、生成する段階（Ｓ３００）の後、制御部１２０が、生成されたスチルカットを含む編集漫画データを視聴するユーザのデバイスに、当該編集漫画データがいかなる形態に表示されるということを予測し、その例示を表示部に表示することができる。それを介して、漫画データを編集する編集者は、編集結果の映像を確認し、その結果により、編集を完了したり編集をさらに行ったりすることができる。
【００７０】
図４は、モーションカットの例示的な形態を概略的に図示した図面である。図４を参照すれば、本発明の一実施形態による漫画データ編集装置１００を介して編集されるモーションカットは、動きが存在するカットである。
【００７１】
モーションカットは、経時的な視覚的記号形態の変化を含んでもよい。例えば、サッカー選手が走ってきてサッカーボールを蹴る動きが存在する第１モーションカット１３０を想定する。その場合、第１モーションカット１３０は、サッカー選手がサッカーボールに向かって走ってくる映像１３０ａ、サッカー選手がサッカーボールの前でキックを準備する映像１３０ｂ、サッカー選手がサッカーボールを蹴る瞬間の映像１３０ｃ、及びサッカー選手が蹴ったサッカーボールが遠くに飛んでいく瞬間の映像１３０ｄが順次発生する動きが存在するカットである。
【００７２】
図４では、第１モーションカット１３０で発生する動きの最中に示される映像を、４つの静止映像１３０ａないし１３０ｄで示したが、それは、本発明の一実施形態による漫画データ編集装置を介して編集される第１モーションカット１３０で発生する動きの一部を示したものに過ぎない。すなわち、第１モーションカット１３０で発生する動きの最中に示される映像は、図４の４つの静止映像１３０ａないし１３０ｄを含み、それぞれの４つの静止映像１３０ａないし１３０ｄの間、サッカー選手が走ってきてサッカーボールを蹴る動きを示す複数の映像を含んでもよい。
【００７３】
第１モーションカット１３０は、複数のレイヤを含んでもよい。例えば、第１モーションカット１３０は、第１レイヤ及び第２レイヤを含んでもよく、第１レイヤは、サッカー選手を示した絵であり、第２レイヤは、サッカーボールを示した絵であってもよい。第１モーションカット１３０に含まれるレイヤのうち動きを含まないレイヤも存在する。例えば、第１モーションカット１３０は、第１レイヤ及び第２レイヤ以外にも、背景の空を示す第３レイヤを含んでもよく、当該第３レイヤは、その形態が変化しない静止映像であってもよい。
【００７４】
第１モーションカット１３０の動きの秒当たりのフレーム数は、漫画データ編集装置１００のハードウェア性能、漫画データ表示装置２００のハードウェア性能、漫画データ編集装置１００を駆動するソフトウェアによって設定されたレベル、漫画データ表示装置２００を駆動するソフトウェアによって設定されたレベル、または漫画データを制作する作家が設定したレベルなどによって決定される。例えば、漫画データ自体は、秒当たり６０個のフレームを介して動きが表現されるように制作され、当該漫画データを表示する漫画データ表示装置２００の性能が、秒当たり３０個のフレームを表現することが限界である場合、当該漫画データに含まれる第１モーションカット１３０は、秒当たり３０個のフレームを介して動きが表現される。
【００７５】
図５は、本発明の一実施形態による、漫画データ編集装置において、漫画データを編集する例示的な形態を概略的に図示した図面である。
【００７６】
図５を参照すれば、本発明の一実施形態による漫画データ編集装置１００において、制御部１２０は、漫画データを編集する過程が表示部に表示されるように、表示部を制御することができる。漫画データ編集装置１００において、漫画データを編集する過程を、制御部１２０が表示部に視覚的に表示する方法は、多様なものがある。例えば、漫画データ編集装置１００において、制御部１２０は、漫画データを編集する過程として、図５に図示されているように、漫画データを編集するのに必須であるか、あるいは補助的な機能を示す多様なユーザ・インターフェースをウィンドウ形式で分類して表示部に視覚的に表示することができる。
【００７７】
制御部１２０は、漫画データに多種のエフェクトを適用し、編集漫画データを生成することができる。例えば、制御部１２０は、漫画データに、多種のエフェクトを適用するためのユーザ・インターフェース１３２が表示部に表示されるように、表示部を制御することができる。多種のエフェクトを適用するためのユーザ・インターフェース１３２には、色彩変換、明るさ変換、または特定の視覚的記号を挿入したり除去したりするような基本エフェクトを適用するためのユーザ・インターフェース、特定視覚的記号に、消え、現われ、ちらつき、直線移動または曲線移動などの再生エフェクトを適用するためのユーザ・インターフェース、及び複数の視覚的記号に一括的にグループエフェクトを適用するためのユーザ・インターフェースのうち１以上が含まれ、それ以外にも、多種の映像処理効果や音響処理効果などを適用するためのユーザ・インターフェースが含まれる。
【００７８】
制御部１２０は、モーションカット、及び静止映像であるスチルカットが互いに区分されて表示部に表示されるように、表示部を制御することができる。例えば、制御部１２０は、編集前の漫画データを示すユーザ・インターフェース１３４、及び編集後の編集漫画データを示すユーザ・インターフェース１３６が表示部に表示されるように、表示部を制御することができる。その場合、制御部１２０は、編集前の漫画データを示すユーザ・インターフェース１３４を介して、モーションカットを含む漫画データのカットの形態を示すことができ、編集後の編集漫画データを示すユーザ・インターフェース１３６を介して、当該モーションカットから生成されたスチルカットを含む編集漫画データのカットの形態を示すことができる。それを介して、制御部１２０は、漫画データ編集者が、編集前後の漫画データを比較しながら編集を行うことを可能とする。
【００７９】
制御部１２０は、モーションカットの動きの程度によって示されるスチルカットのうち１以上が表示部に表示されるように、表示部を制御することができる。例えば、制御部１２０は、編集前の漫画データを示すユーザ・インターフェース１３４上に、第１モーションカット１３０の動きの程度によって示される映像、例えば、サッカー選手がサッカーボールに向かって走ってくる映像１３０ａ、サッカー選手がサッカーボールの前でキックを準備する映像１３０ｂ、サッカー選手がサッカーボールを蹴る瞬間の映像１３０ｃ、またはサッカー選手が蹴ったサッカーボールが遠く飛んでいく瞬間の映像１３０ｄのうち１以上が表示部に表示されるように、表示部を制御することができる。
【００８０】
また、その場合、制御部１２０は、モーションカットの動きの程度を調節するユーザ・インターフェース１３８が表示部に表示されるように、表示部を制御することができる。例えば、制御部１２０は、第１モーションカット１３０の内部、または第１モーションカット１３０と対応する位置に、スクロールバー形態のユーザ・インターフェースが表示されるように、表示部を制御することができる。そのとき、当該スクロールバー形態のユーザ・インターフェースは、第１モーションカット１３０の動きの程度を調節するユーザ・インターフェース１３８でもある。すなわち、スクロールバー形態のユーザ・インターフェースのスクロールバーが、最上端または最下端に位置する場合、第１モーションカット１３０が表示される位置には、第１モーションカット１３０で動きが発生する前の最初状態の静止映像、または動きが終わった後の最終状態の静止映像が表示される。
【００８１】
図５では、モーションカットの動きの程度を調節するユーザ・インターフェース１３８が、スクロールバー形態のユーザ・インターフェースとして表示されているが、本発明は、それに限定されるものではない。すなわち、モーションカットの動きの程度を、数値、位置または色相などを介して調節することができる多様な形態のユーザ・インターフェースが、モーションカットの動きの程度を調節するユーザ・インターフェース１３８として使用され得る。
【００８２】
一方、入力受信部１１０は、モーションカットから複数のスチルカットを生成すべき旨の命令を、編集者の入力操作に基づいて受信し、それによって、制御部１２０は、モーションカットの動きの最中に示される場面のうち１以上の互いに異なる場面をそれぞれ含む複数のスチルカットを生成することができる。例えば、入力受信部１１０は、第１モーションカット１３０から複数のスチルカットを生成すべき旨の命令を、編集者の入力操作に基づいて受信することができる。
【００８３】
その場合、制御部１２０は、第１モーションカット１３０の動きの程度によって示される映像、すなわち、第１モーションカット１３０に対応する第１スチルカット及び第２スチルカットを生成し、第１スチルカットは、サッカー選手がサッカーボールの前でキックを準備する映像１３０ｂであってもよく、第２スチルカットは、サッカー選手が蹴ったサッカーボールが遠く飛んでいく瞬間の映像１３０ｄであってもよい。第１スチルカット及び第２スチルカットに含まれる映像は、編集者が直接選択した映像であってもよい。
【００８４】
制御部１２０は、第１スチルカット及び第２スチルカットが、編集後の編集漫画データを示すユーザ・インターフェース１３６の内部に表示されるように、表示部を制御することができる。実際、モーションカットの動きによって発生する情報を、１つのスチルカットで表現し難い場合が多い。そのような場合には、１つのモーションカットから複数のスチルカットが生成される必要がある。本発明の実施形態による制御部１２０は、前述のように、モーションカットの動きの最中に示される場面のうち１以上の互いに異なる場面をそれぞれ含む複数のスチルカットを生成し、それを介して、モーションカットの動きによって発生する情報を、複数のスチルカットを介して、十分に表現することができる機会を編集者に提供することができる。
【００８５】
制御部１２０は、モーションカットからスチルカットを生成する過程を容易にするためのユーザ・インターフェースが表示部に表示されるように、表示部を制御することができる。例えば、制御部１２０は、スチルカット生成と係わる機能を含むユーザ・インターフェース１４０が表示部に表示されるように、表示部を制御することができる。そのとき、スチルカット生成と係わる機能を含むユーザ・インターフェース１４０には、現在の編集内容を適用し、編集漫画データを生成するためのユーザ・インターフェース１４２、及び現在の編集内容を取り消すためのユーザ・インターフェース１４４を含んでもよい。
【００８６】
入力受信部１１０を介して、編集者の入力操作に基づいて、現在の編集内容を適用し、編集漫画データを生成するためのユーザ・インターフェース１４２を選択する命令が受信された場合、制御部１２０は、編集後の編集漫画データを示すユーザ・インターフェース１３６に示された編集内容が適用された編集漫画データを生成することができる。入力受信部１１０を介して、編集者の入力操作に基づいて、現在の編集内容を取り消すためのユーザ・インターフェース１４４を選択する命令が受信された場合、制御部１２０は、現在の編集内容を初期化することができる。
【００８７】
制御部１２０は、モーションカットの動きの程度によって示されるスチルカットのうち少なくとも一つをスチルカットの候補群として選定することができる。また、制御部１２０は、選定されたスチルカットの候補群が表示部に表示されるように、表示部を制御することができる。例えば、制御部１２０は、スチルカット生成と係わる機能を含むユーザ・インターフェース１４０の内部に、スチルカットの候補群を示すユーザ・インターフェース１４６が表示されるように、表示部を制御することができる。
【００８８】
そのとき、スチルカットの候補群には、モーションカットで動きが発生する前の最初の状態の静止映像、モーションカットで動きが終わった後の最終状態の静止映像、またはモーションカットで急激な動きが発生する直前または直後の映像など、当該モーションカットから得られる多様な映像が含まれる。すなわち、モーションカットの動きを代表する映像がスチルカットの候補群に選定される。
【００８９】
また、編集者の入力操作に基づいて、スチルカットの候補群に含まれる映像のうち一つを選択する命令が受信された場合、制御部１２０は、当該命令に対応する映像が、編集後の編集漫画データを示すユーザ・インターフェース１３６に表示されるように、表示部を制御することができる。それを介して、制御部１２０は、スチルカットを容易に生成することができるオプションを、編集者に提供することができる。
【００９０】
制御部１２０は、編集前の漫画データを視聴するユーザのデバイスに、漫画データが表示される形態の例示が表示部に表示されるように、表示部を制御することができる。また、制御部１２０は、生成されたスチルカットを含む編集漫画データを視聴するユーザのデバイスに、編集漫画データが表示される形態の例示が表示部に表示されるように、表示部を制御することができる。例えば、制御部１２０は、編集前の漫画データが、いかなる形態に表示されるかをプレビューするためのユーザ・インターフェース１４８、及び編集後の編集漫画データが、いかなる形態に表示されるかをプレビューするためのユーザ・インターフェース１５０が表示部に表示されるように、表示部を制御することができる。
【００９１】
制御部１２０は、編集前の漫画データが、いかなる形態に表示されるかをプレビューするためのユーザ・インターフェース１４８を選択する編集者の入力が受信される場合、編集前の漫画データを視聴するユーザのデバイスに、漫画データが表示される形態の例示が表示部に表示されるように、表示部を制御することができる。また、制御部１２０は、編集後の編集漫画データが、いかなる形態に表示されるかをプレビューするためのユーザ・インターフェース１５０を選択する編集者の入力が受信される場合、生成されたスチルカットを含む編集漫画データを、視聴するユーザのデバイスに、編集漫画データが表示される形態の例示が表示部に表示されるように、表示部を制御することができる。それを介して、制御部１２０は、編集以後の漫画が、いかなる形態に表示されるかということを確認することができる機会を編集者に提供することができる。
【００９２】
制御部１２０は、それぞれのカットのレイヤを示すユーザ・インターフェース１５２が表示部に表示されるように、表示部を制御することができる。制御部１２０は、生成されたスチルカットを含む編集漫画データを生成することができる。生成された編集漫画データは、制御部１２０によって、漫画データ編集装置１００内部のメモリ１２２に保存されるか、あるいは通信網４００を介して、漫画データ表示装置２００または漫画データ保存装置３００などに送信される。
【００９３】
図６は、本発明の一実施形態による漫画データ編集装置を介して生成されたスチルカットの例示的な形態を概略的に図示した図面である。
【００９４】
図６を参照すれば、本発明の一実施形態による漫画データ編集装置１００において、制御部１２０は、モーションカットの動きの最中に示される場面のうち１以上の場面及び補助映像を含むスチルカットを生成することができる。例えば、制御部１２０は、第１モーションカット１３０に対応するスチルカットとして、図６（ａ）及び図６（ｂ）に示すスチルカットを生成することができる。
【００９５】
そのとき、制御部１２０は、走ってくるサッカー選手の後部分に補助線１５４を追加することにより、サッカー選手が走ってくるという効果をスチルカットに追加することができる。同様に、制御部１２０は、サッカー選手の足部分に補助線１５６を追加し、サッカーボールが飛んでいく方向の反対方向に補助線１５８を追加し、サッカー選手がサッカーボールを蹴るときに発生する音響効果を示す補助テキスト１６０を追加することにより、サッカー選手がサッカーボールを蹴り、サッカーボールが飛んでいくという効果をスチルカットに追加することができる。それを介して、制御部１２０は、モーションカットが含む情報を、スチルカットに最大限多く伝達することができる機会を提供することができる。
【００９６】
そのような本発明の一実施形態による漫画データ編集装置１００を介して、動きが存在するモーションカットを含む漫画データを編集し、静止映像によって構成された静止カットのみを含む編集漫画データを生成することができる。また、本発明の一実施形態による漫画データ編集装置１００は、編集者が、動きの程度によって示される多様な映像及び補助映像を利用して、スチルカットを生成することができるようにし、モーションカットが含んでいる情報をいずれも含むスチルカットを生成することができる機会を編集者に提供することができる。それを介して、漫画の動きを表示することができない漫画データ表示装置２００を使用するユーザにも、漫画作家が意図した漫画と係わる情報をいずれも提供することができる。
【００９７】
以上で説明した本発明による実施形態は、コンピュータ上で多様な構成要素を介して実行されるコンピュータプログラムの形態によって具現され、そのようなコンピュータプログラムは、コンピュータで読み取り可能な媒体に記録される。そのとき、該媒体は、ハードディスク、フロッピィー（登録商標）ディスク及び磁気テープのような磁気媒体、ＣＤ（compact disc）−ＲＯＭ（read only memory）及びＤＶＤ（digital versatile disc）のような光記録媒体、フロプティカルディスク（floptical disk）のような磁気−光媒体（magneto-optical medium）、及びＲＯＭ、ＲＡＭ（random access memory）、フラッシュメモリのような、プログラム命令語を保存して実行するように特別に構成されたハードウェア装置を含んでもよい。さらに、該媒体は、ネットワーク上で送信可能な形態によって具現される無形の媒体を含んでもよく、例えば、ソフトウェア形態またはアプリケーション形態によって具現され、ネットワークを介して送信及び流通が可能な形態の媒体であってもよい。
【００９８】
一方、前記コンピュータプログラムは、本発明のために特別に設計されて構成されたものであってもよく、コンピュータソフトウェア分野の当業者に公知されて使用可能なものであってもよい。コンピュータプログラムの例としては、コンパイラによって作われるような機械語コードだけではなく、インタープリタなどを使用して、コンピュータによって実行される高級言語コードも含まれる。
【００９９】
本発明で説明する特定事項は、一実施例であり、いかなる方法でも、本発明の範囲を限定するものではない。明細書の簡潔化のために、従来の電子的な構成、制御システム、ソフトウェア、前記システムの他の機能的な側面の記載は省略されている。また、図面に図示された構成要素間の線の連結または連結部材は、機能的な連結、及び／または物理的または回路的な連結を例示的に示したものであり、実際の装置では、代替体可能であったり、あるいは追加されたりする多様な機能的な連結、物理的な連結または回路連結として示される。また、「必須な」、「重要に」というような具体的な言及がなければ、本発明の適用のために、必ずしも必要な構成要素ではないこともある。
【０１００】
従って、本発明の思想は、前述の実施形態に限って定められるものではなく、後述する特許請求の範囲だけではなく、その特許請求の範囲と均等であったり、それから等価的に変更されたりする全ての範囲は、本発明の思想の範疇に属するものであるといえる。
【符号の説明】
【０１０１】
１０    漫画データ提供システム
１００    漫画データ編集装置
１１０    入力受信部
１２０    制御部
１２１，３１０    通信部
１２２，３２０    メモリ
１２３，３４０    プログラム保存装置
１３０    第１モーションカット
１３２    ユーザ・インターフェース
２００    漫画データ表示装置
２００ａ    第１漫画データ表示装置
２００ｂ    第２漫画データ表示装置
３００    漫画データ保存装置
３３０    入出力部
４００    通信網
【図１】
0006357571.tif 000002
【図２】
0006357571.tif 000003
【図３】
0006357571.tif 000004
【図４】
0006357571.tif 000005
【図５】
0006357571.tif 000006
【図６】
0006357571.tif 000007